(57)【要約】【課題】地震や災害等の緊急時や行楽等の緊急時に手軽に素早く使用できる、省素材で安価・強固な小型簡易トイレを提供すること。【解決手段】横長略長方形のダンボール板の上部を、二つの山形を持つ所定の形に加工し、縦に６ヵ所の折り線を設け、上部山形の一方に横の折り線と斜めの折り線を設け、前部に当たる面に切り抜き穴を設け、縦の折り線６ヵ所を内側に折り曲げてその両端部を接着することにより立体を形成し、上部の横の折り線を内側に折り曲げて中の空間を広げたものを本体Ａとし、別途横長長方形のダンボール板に縦の折り線を３ヵ所設け、各折り線を折り曲げたものを強化板Ｂとし、上記本体Ａの両側面内側に強化板Ｂの立ち上がり部分を接着した、小型簡易トイレである。【選択図】図１
2011101780.tif 000002
【特許請求の範囲】
【請求項１】
横長略長方形のダンボール板の上部を、二つの山形を持つ所定の形に加工し、縦に６ヵ所の折り線を設け、上部山形の一方に横の折り線と斜めの折り線を設け、前部に当たる面に切り抜き穴を設け、縦の折り線６ヵ所を内側に折り曲げてその両端部を接着することにより立体を形成し、上部の横の折り線を内側に折り曲げて中の空間を広げたものを本体Ａとし、別途横長長方形のダンボール板に縦の折り線を３ヵ所設け、各折り線を折り曲げたものを強化板Ｂとし、上記本体Ａの両側面内側に強化板Ｂの立ち上がり部分を接着した、小型簡易トイレ。
【請求項２】
横長略長方形のダンボール板の上部を、一つの山形を持つ所定の形に加工し、縦に６ヵ所の折り線を設け、上部に横の折り線を設け、前部に当たる面と後部に当たる面にそれぞれ所定の形の切り抜き穴を設け、縦の折り線６ヵ所を内側に折り曲げてその両端部を接着することにより立体を形成し、上部の横の折り線を内側に折り曲げて中の空間を広げたものを本体Ｃとし、別途横長長方形のダンボール板に縦の折り線を３ヵ所設け、各折り線を折り曲げたものを強化板Ｄとし、上記本体Ｃの両側面内側又は外側に強化板Ｄの立ち上がり部分を接着した、小型簡易トイレ。
【発明の詳細な説明】
【技術分野】
【０００１】  本発明は、地震や災害等の緊急時や行楽等の緊急時に使用できる小型簡易トイレに関するものである。
【背景技術】
【０００２】  従来、地震や災害等の緊急時にはプレハブ式の簡易トイレが設営されるが、例えば地震では道路が寸断され、プレハブ式の簡易トイレが現地に届くまでに時間がかかり、緊急時に間に合わない状況もある。また、行楽では道路の渋滞等により緊急にトイレが必要の場合、我慢を強いられることもある。
そのためにダンボール製の組み立て式簡易トイレがいろいろ提案されている。
例えば下記のような文献がある。
【先行技術文献】
【特許文献】
【０００３】
【特許文献１】特開平１１−８９７５０
【特許文献２】特開２００８−２８９８４８
【特許文献３】特許第３７６０３９３号
【発明の概要】
【発明が解決しようとする課題】
【０００４】  特開平１１−８９７５０においても特開２００８−２８９８４８においても上部がほぼ平面に形成されている。このような形では小用の場合飛沫が飛散する恐れがある。
また、特許第３７６０３９３号においては上面の前部をアーチ型とすることによりこの問題を解決しているが、組み立てが複雑であり、置き形のためトイレ本体が大きくなる。
本発明は手で支えて用を足すことができる、省素材で安価・強固な小型簡易トイレを提供することにある。
【課題を解決するための手段】
【０００５】  本発明の請求項１による第１の形態は、横長略長方形のダンボール板の上部を、二つの山形を持つ所定の形に加工し、縦に６ヵ所の折り線を設け、上部山形の一方に横の折り線と斜めの折り線を設け、前部に当たる面に切り抜き穴を設け、縦の折り線６ヵ所を内側に折り曲げてその両端部を接着することにより立体を形成し、上部の横の折り線を内側に折り曲げて中の空間を広げたものを本体Ａとする。
別途横長長方形のダンボール板に縦の折り線を３ヵ所設け、各折り線を折り曲げたものを強化板Ｂとし、上記本体Ａの両側面内側に強化板Ｂの立ち上がり部分を接着ことにより、体重をかけても耐えられる強度になる、省素材で安価・強固な小型簡易トイレである。
本発明の請求項２による第２の形態は、横長略長方形のダンボール板の上部を、一つの山形を持つ所定の形に加工し、縦に６ヵ所の折り線を設け、上部の山形を除く部分に横の折り線を設け、前部に当たる面と後部に当たる面にそれぞれ所定の形の切り抜き穴を設け、縦の折り線６ヵ所を内側に折り曲げてその両端部を接着することにより立体を形成し、上部の横の折り線を内側に折り曲げて中の空間を広げたものを本体Ｃとする。
別途横長長方形のダンボール板に縦の折り線を３ヵ所設け、各折り線を折り曲げたものを強化板Ｄとし、上記本体Ｃの両側面内側又は外側に強化板Ｄの立ち上がり部分を接着した、省素材で安価・強固な小型簡易トイレである。
第１の形態は男女共用であり、第２の形態は主として女性用である。
【発明の効果】
【０００６】  本発明は小型軽量（前後長１９０ｍｍ乃至２５０ｍｍ）で、手で支えて用を足すことも出来るので、地震や災害時等に個人用として簡便に使用できる。また、行楽時の道路の渋滞等においても車の中で簡単に使用できる。場所によっては他人に知られずに使用することも可能である。
通常は畳んだ状態で保管するので場所をとらず、使用時には広げて上面の所定の箇所を内側に折り曲げ、付属の袋と液体吸収剤や消臭剤等をセットすればよいので、時間をかけずに使用できる。
【図面の簡単な説明】
【０００７】
【図１】本発明の第１の形態の展開図
【図２】本発明の第１の形態の組立斜視図
【図３】本発明の第２の形態の展開図
【図４】本発明の第２の形態の組立斜視図
【発明を実施するための形態】
【０００８】  本発明の請求項１による第１の形態について図１により説明する。
トイレ本体Ａは、横長略長方形のダンボール板の上部を、二つの山形を持つ所定の形に加工し、縦の折り線ａ（１）、折り線ｂ（２）、折り線ｃ（３）、折り線ｄ（４）、折り線ｅ（５）、折り線ｆ（６）をそれぞれ設け、横の折り線ｇ（７）、斜めの折り線ｈ（８）及び折り線ｉ（９）をそれぞれ設ける。
これにより、面ａ（１１）、面ｂ（１２）、面ｃ（１３）、面ｄ（１４）、面ｅ（１５）、面ｆ（１６）、面ｇ（１７）、面ｈ（１８）、面ｉ（１９）、面ｊ（２０）、面ｋ（２１）が形成される。
面ａ（１１）と面ｂ（１２）とにかけて切り抜き穴（１０）を設ける。
縦の折り線ａ（１）、折り線ｂ（２）、折り線ｃ（３）、折り線ｄ（４）、折り線ｅ（５）及び折り線ｆ（６）をそれぞれ内側に折り曲げ、面ａ（１１）の端部と面ｇ（１７）とを接着する。横の折り線ｇ（７）と斜めの折り線ｈ（８）及び折り線ｉ（９）をそれぞれ内側に折り曲げ、面ｉ（１９）と面ｊ（２０）を内側に押し付けて押し広げ、立体を形成する。
一方、強化板Ｂは、横長長方形のダンボール板に縦の折り線ａ（３１）、折り線ｂ（３２）、折り線ｃ（３３）を設ける。縦の折り線ａ（３１）、折り線ｃ（３３）を内側に折り曲げ、折り線ｂ（３２）を外側に折り曲げる。これにより、面ａ（３４）、面ｂ（３５）、面ｃ（３６）、面ｄ（３７）が形成される。
トイレ本体Ａの、面ｃ（１３）及び面ｆ（１６）の内側に、強化板Ｂの、面ａ（３４）及び面ｄ（３７）をそれぞれ接着する。
以上により、省素材で安価・強固な第１の形態の小型簡易トイレが完成する。尚、寸法は、組み立てた状態で前後長２５０ｍｍ位が適当と思われる。
【０００９】  次に、本発明の請求項２による第２の形態について図３により説明する。
トイレ本体Ｃは、横長略長方形のダンボール板の上部を、一つの山形を持つ所定の形に加工し、縦の折り線ａ（４１）、折り線ｂ（４２）、折り線ｃ（４３）、折り線ｄ（４４）、折り線ｅ（４５）、折り線ｆ（４６）をそれぞれ設け、山形の横の折り線ｇ（４７）及び横の折り線ｉ（４８）をそれぞれ設ける。
これにより、面ａ（５１）、面ｂ（５２）、面ｃ（５３）、面ｄ（５４）、面ｅ（５５）、面ｆ（５６）、面ｇ（５７）、面ｈ（５８）、面ｉ（５９）、面ｊ（６０）、面ｋ（６１）が形成される。
面ａ（５１）と面ｂ（５２）とにかけて切り抜き穴ａ（４９）を設け、面ｄ（５４）と面ｅ（５５）とにかけて切り抜き穴ｂ（５０）を設ける。
縦の折り線ａ（４１）、折り線ｂ（４２）、折り線ｃ（４３）、折り線ｄ（４４）、折り線ｅ（４５）及び折り線ｆ（４６）をそれぞれ内側に折り曲げ、面ａ（５１）の端部と面ｇ（５７）とを接着する。山形の横の折り線ｇ（４７）と横の折り線ｇ（４８）をそれぞれ内側に折り曲げ、面ｈ（５８）と面ｊ（６０）を内側に押し付けて押し広げ、立体を形成する。
一方、強化板Ｄは、横長長方形のダンボール板に縦の折り線ａ（７１）、折り線ｂ（７２）、折り線ｃ（７３）を設ける。縦の折り線ａ（７１）及び折り線ｃ（７３）を内側に折り曲げ、折り線ｂ（７２）を外側に折り曲げる。これにより、面ａ（７４）、面ｂ（７５）、面ｃ（７６）、面ｄ（７７）が形成される。
トイレ本体Ｃの、面ｃ（５３）及び面ｆ（５６）の内側又は外側に、強化板Ｄの、面ａ（７４）及び面ｄ（７７）をそれぞれ接着する。
以上により、省素材で安価・強固な第２の形態の小型簡易トイレが完成する。尚、寸法は、組み立てた状態で前後長１９０ｍｍ位が適当と思われる。
【００１０】  第１の形態の小型簡易トイレにおいても第２の形態の小型簡易トイレにおいても、これを使用するときは、折りたたんだ状態を広げて横の折り線を内側に折り曲げて押し広げ、この中に付属のポリ袋等をセットし、その中に液体吸収剤、消臭剤等を入れてもよい。前部あるいは前後の切り抜き穴に手をかけて使用すると身体との密着性がよくなり、本体及びポリ袋の落下を防止し、又液体が飛散することを防止する。使用後はポリ袋を引き上げて袋の口をビニ帯等で閉じ、処理する。
このようにして、本発明の小型簡易トイレは何回でも使用することが可能である。
【符号の説明】
【００１１】Ａ    トイレ本体
１  折り線ａ
２  折り線ｂ
３  折り線ｃ
４  折り線ｄ
５  折り線ｅ
６  折り線ｆ
７  折り線ｇ
８  折り線ｈ
９  折り線ｉ
１０  切り抜き穴
１１  面ａ
１２  面ｂ
１３  面ｃ
１４  面ｄ
１５  面ｅ
１６  面ｆ
１７  面ｇ
１８  面ｈ
１９  面ｉ
２０  面ｊ
２１  面ｋ
Ｂ    強化板
３１  折り線ａ
３２  折り線ｂ
３３  折り線ｃ
３４  面ａ
３５  面ｂ
３６  面ｃ
３７  面ｄ
Ｃ    トイレ本体
４１  折り線ａ
４２  折り線ｂ
４３  折り線ｃ
４４  折り線ｄ
４５  折り線ｅ
４６  折り線ｆ
４７  折り線ｇ
４８  折り線ｈ
４９  切り抜き穴ａ
５０  切り抜き穴ｂ
５１  面ａ
５２  面ｂ
５３  面ｃ
５４  面ｄ
５５  面ｅ
５６  面ｆ
５７  面ｇ
５８  面ｈ
５９  面ｉ
６０  面ｊ
６１  面ｋ
Ｄ    強化板
７１  折り線ａ
７２  折り線ｂ
７３  折り線ｃ
７４  面ａ
７５  面ｂ
７６  面ｃ
７７  面ｄ
【図１】
2011101780.tif 000003
【図２】
2011101780.tif 000004
【図３】
2011101780.tif 000005
【図４】
2011101780.tif 000006